【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
予め選定された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする流行創出型広告システム。
【請求項２】
検索条件やコンテンツ中のキーワードのうち出現回数の増加が著しいキーワードを流行語候補とする流行語候補収集手段と、前記流行語候補収集手段で収集された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする流行創出型広告システム。
【請求項３】
スポンサーにより登録された流行語候補毎にスポンサーの投票ポイントを管理し、当該投票ポイントから流行語を決定する流行語投票管理手段と、前記流行語投票管理手段が決定した流行語から予め決められた基準で表示する流行語を選択する流行語取得手段と、前記流行語取得手段が選択した流行語を流行語のリスト、または流行語を含む文であるハイパーテキストコンテンツとして作成し、ユーザ端末に転送するポータル手段と、前記ポータル手段から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン手段とを備えることを特徴とする流行創出型広告システム。
【請求項４】
予め選定された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする流行創出型広告方法。
【請求項５】
検索条件やコンテンツ中のキーワードのうち出現回数の増加が著しいキーワードを流行語候補とする流行語候補収集機能と、前記流行語候補収集機能で収集された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする流行創出型広告方法。
【請求項６】
スポンサーにより登録された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする流行創出型広告方法。
【手続補正２】
【補正対象書類名】明細書
【補正対象項目名】発明の名称
【補正方法】変更
【補正の内容】
【発明の名称】流行創出型広告システムおよび流行創出型広告方法
【手続補正３】
【補正対象書類名】明細書
【補正対象項目名】０００１
【補正方法】変更
【補正の内容】
【０００１】
本発明は、流行創出型広告システムおよび流行創出型広告方法に関し、具体的には、ポータルサイトとサーチエンジンサービスを提供するプロバイダーに対して、プッシュキーワードによる流行創出型広告モデルに関する。
【手続補正４】
【補正対象書類名】明細書
【補正対象項目名】０００７
【補正方法】変更
【補正の内容】
【０００７】
本発明は、上述のような実情を考慮してなされたものであって、ポータルサイトとサーチエンジンサービスを提供するプロバイダーに対して、次のような広告モデルを実現する流行創出型広告システムおよび流行創出型広告方法を提供することを目的とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】変更
【補正の内容】
【００２８】
請求項４に記載の発明は、予め選定された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする。
【手続補正２２】
【補正対象書類名】明細書
【補正対象項目名】００２９
【補正方法】変更
【補正の内容】
【００２９】
請求項５に記載の発明は、検索条件やコンテンツ中のキーワードのうち出現回数の増加が著しいキーワードを流行語候補とする流行語候補収集機能と、前記流行語候補収集機能で収集された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする。
【手続補正２３】
【補正対象書類名】明細書
【補正対象項目名】００３０
【補正方法】変更
【補正の内容】
【００３０】
請求項６に記載の発明は、スポンサーにより登録された流行語候補毎にスポンサーの投票ポイントを管理し、当該投票ポイントから流行語を決定する流行語投票管理機能と、前記流行語投票管理機能が決定した流行語から予め決められた基準で表示する流行語を選択する流行語取得機能と、前記流行語取得機能が選択した流行語を流行語のリスト、または流行語を含む文であるハイパーテキストコンテンツとして作成し、ユーザ端末に転送するポータル機能と、前記ポータル機能から転送された流行語のリスト、または流行語を含む文中の流行語をユーザがクリックしたとき、当該流行語をキーワードとした検索要求を受信し、Ｗｅｂ上のコンテンツの検索結果を要求元へ転送するサーチエンジン機能とを備えることを特徴とする。
【手続補正２４】
【補正対象書類名】明細書
【補正対象項目名】００３１
【補正方法】削除
【補正の内容】